(57)【要約】【課題】消費電力を抑えつつ、利用者の煩雑な操作を伴うことなく視聴中の放送内容を簡易に保存することができる電子機器を提供する。【解決手段】放送を受信して出力可能な電子機器において、放送の受信が開始されたとき又は放送内容の出力が開始されたとき、所定の自動保存処理開始条件を満たすか否かを判断し、その自動保存処理開始条件を満たす場合のみ、放送内容を連続保存する自動保存処理を開始する。保存対象の放送が送信されている放送エリアに電子機器が在圏する場合のみ、自動保存処理を開始してもよい。【選択図】図６
2010098619.tif 000002
【特許請求の範囲】
【請求項１】
放送を受信する放送受信手段と、該放送受信手段で受信した放送内容を出力する出力手段とを備えた電子機器であって、
前記放送受信手段で受信した放送内容を記憶可能な記憶手段と、
前記放送受信手段による放送の受信が開始されたとき又は前記放送内容の出力が開始されたとき、所定の自動保存処理開始条件を満たすか否かを判断し、該所定の自動保存処理開始条件を満たす場合のみ、前記放送受信手段で受信している放送内容を前記記憶手段に連続保存する自動保存処理を開始するように制御する制御手段と、
を備えたことを特徴とする電子機器。
【請求項２】
請求項１の電子機器において、
前記制御手段は、前記放送受信手段による放送の受信が開始されたとき又は前記放送内容の出力が開始されたときに前記所定の自動保存処理開始条件を満たさない場合、その後に該自動保存処理開始条件を満たすようになったとき、前記自動保存処理を開始するように制御することを特徴とする電子機器。
【請求項３】
請求項１又は２の電子機器において、
前記所定の自動保存処理開始条件は、前記保存対象の放送が送信されている放送エリアに当該電子機器が在圏するという条件であり、
前記放送エリアを検知するエリア検知手段を更に備え、
前記制御手段は、前記エリア検知手段の検知結果に基づいて前記放送内容の自動保存処理を開始するように制御することを特徴とする電子機器。
【請求項４】
請求項１又は２の電子機器において、
前記制御手段は、当該電子機器の移動に伴って前記エリア検知手段が前記保存対象の放送を受信している放送エリアから他の放送エリアへのエリア遷移を検知したとき、前記保存対象の番組の放送内容を該他の放送エリアでも継続して保存するよう該エリア遷移後の受信チャネルを切り換えるように制御することを特徴とする電子機器。
【請求項５】
請求項１又は２の電子機器において、
前記所定の自動保存処理開始条件は、当該電子機器が所定の状態にあるという条件、又は当該電子機器に所定の状態変化が発生したという条件であり、
前記所定の状態又は前記所定の状態変化を検知する状態検知手段を更に備え、
前記制御手段は、前記状態検知手段の検知結果に基づいて前記放送内容の自動保存処理を開始するように制御することを特徴とする電子機器。
【請求項６】
請求項５の電子機器において、
当該電子機器は、その電子機器が備える複数の筐体構成要素の位置関係が互いに異なる複数の外観形態を取り得るように構成され、
前記所定の状態変化は、前記複数の外観形態のいずれかから他の外観形態への変化であることを特徴とする電子機器。
【請求項７】
請求項５の電子機器において、
前記所定の状態変化は、当該電子機器の上下反転又は所定角度の回転であることを特徴とする電子機器。
【請求項８】
請求項５の電子機器において、
前記所定の状態は、当該電子機器に所定強度又は所定振動パターンの振動が発生した状態であることを特徴とする電子機器。
【請求項９】
請求項５の電子機器において、
前記所定の状態は、当該電子機器が所定の高度の範囲に位置する状態であることを特徴とする電子機器。
【請求項１０】
請求項１乃至９のいずれかの電子機器において、
前記制御手段は、前記所定の自動保存処理開始条件を満たす場合、所定の時間帯のみ前記放送内容の自動保存処理を開始するように制御することを特徴とする電子機器。
【請求項１１】
請求項１乃至１０のいずれかの電子機器において、
前記放送が文字情報を含む場合、前記記憶手段に保存する放送内容は該文字情報を含むことを特徴とする電子機器。
【請求項１２】
請求項１１の電子機器において、
前記制御手段は、前記放送に含まれる文字情報が前記出力手段で出力されている場合には前記放送内容とともに該文字情報を保存するように制御することを特徴とする電子機器。
【発明の詳細な説明】
【技術分野】
【０００１】
本発明は、テレビやラジオ等の放送局からの放送を受信可能な電子機器に関する。
【背景技術】
【０００２】
従来、この種の電子機器として、視聴中のテレビ放送の内容を録画可能なテレビ受信機能を有する携帯電話機が知られている。
【発明の開示】
【発明が解決しようとする課題】
【０００３】
しかしながら、上記従来の携帯電話機において、視聴中の放送内容を録画するには、放送の視聴を開始した後、その放送内容の録画を開始するという煩雑な操作を行う必要があった。また、携帯電話機のように内蔵の電池で駆動するような電子機器では消費電力を抑えたいという要請がある。
【０００４】
本発明は、上記問題に鑑みなされたものであり、その目的とするところは、消費電力を抑えつつ、利用者の煩雑な操作を伴うことなく視聴中の放送内容を簡易に保存することができる電子機器を提供することである。
【課題を解決するための手段】
【０００５】
本発明に係る電子機器は、放送を受信する放送受信手段と、該放送受信手段で受信した放送内容を出力する出力手段とを備えた電子機器であって、前記放送受信手段で受信した放送内容を記憶可能な記憶手段と、前記放送受信手段による放送の受信が開始された状態で所定の自動保存処理開始条件を満たすか否かを判断し、該所定の自動保存処理開始条件を満たすときに、前記放送受信手段で受信している放送内容を前記記憶手段に連続保存する自動保存処理を開始するように制御する制御手段と、を備える。
前記電子機器において、前記制御手段は、前記放送受信手段による放送の受信が開始されたとき又は前記放送内容の出力が開始されたときに前記所定の自動保存処理開始条件を満たさない場合、その後に該自動保存処理開始条件を満たすようになったとき、前記自動保存処理を開始するように制御してもよい。
また、前記電子機器において、前記所定の自動保存処理開始条件は、前記保存対象の放送が送信されている放送エリアに当該電子機器が在圏するという条件であり、前記放送エリアを検知するエリア検知手段を更に備え、前記制御手段は、前記エリア検知手段の検知結果に基づいて前記放送内容の自動保存処理を開始するように制御してもよい。
また、前記電子機器において、前記制御手段は、当該電子機器の移動に伴って前記エリア検知手段が前記保存対象の放送を受信している放送エリアから他の放送エリアへのエリア遷移を検知したとき、前記保存対象の番組の放送内容を該他の放送エリアでも継続して保存するよう該エリア遷移後の受信チャネルを切り換えるように制御してもよい。
また、前記電子機器において、前記所定の自動保存処理開始条件は、当該電子機器が所定の状態にあるという条件、又は当該電子機器に所定の状態変化が発生したという条件であり、前記所定の状態又は前記所定の状態変化を検知する状態検知手段を更に備え、前記制御手段は、前記状態検知手段の検知結果に基づいて前記放送内容の自動保存処理を開始するように制御してもよい。
また、前記電子機器において、当該電子機器は、その電子機器が備える複数の筐体構成要素の位置関係が互いに異なる複数の外観形態を取り得るように構成され、前記所定の状態変化は、前記複数の外観形態のいずれかから他の外観形態への変化であってもよい。
また、前記電子機器において、前記所定の状態変化は、当該電子機器の上下反転又は所定角度の回転であってもよい。
また、前記電子機器において、前記所定の状態は、当該電子機器に所定強度又は所定振動パターンの振動が発生した状態であってもよい。
また、前記電子機器において、前記所定の状態は、当該電子機器が所定の高度の範囲に位置する状態であってもよい。
また、前記電子機器において、前記制御手段は、前記所定の自動保存処理開始条件を満たす場合、所定の時間帯のみ前記放送内容の自動保存処理を開始するように制御してもよい。
また、前記電子機器において、前記放送が文字情報を含む場合、前記記憶手段に保存する放送内容は該文字情報を含んでもよい。
また、前記電子機器において、前記制御手段は、前記放送に含まれる文字情報が前記出力手段で出力されている場合には前記放送内容とともに該文字情報を保存するように制御してもよい。
【０００６】
また、前記電子機器において、当該電子機器は、移動体通信ネットワークを介して通信を行う通信手段を備えた移動体通信端末であってもよい。この移動体通信端末としては、各種無線通信方式の携帯電話機、ＰＨＳ（Personal Handyphone System）、自動車電話機等の通話機能を有する電話機が挙げられる。また、この「移動体通信端末」としては、上記電話機のほか、通話機能を有するＰＤＡ（Personal Digital Assistance）等の通信端末も挙げられる。
また、前記電子機器において、当該電子機器は、携帯可能な放送受信装置であってもよい。
また、前記電子機器において、前記放送は、地上波デジタル放送やワンセグ放送等のデジタル放送でもよいし、アナログ放送であってもよい。また、前記電子機器において、前記放送は、画像及び音声を含むテレビ放送でもよいし、ＡＭやＦＭなどのラジオ放送でもよい。
また、前記電子機器において、前記状態検知手段は、加速度センサー、重力センサー、地磁気センサー、又は、それらの任意の２以上の組み合わせを用いて構成してもよい。
また、前記電子機器において、前記状態検知手段は、ＧＰＳ（Global Positioning System）の衛星からの信号を受信し、当該電子機器の状態を示す情報の一つである位置情報（ＧＰＳ位置情報：緯度、経度、高度）を計算して求める位置情報取得手段であってもよい。
また、前記電子機器において、利用者の操作などに基づいて前記所定の自動保存処理開始条件を変更可能に構成してもよい。
【発明の効果】
【０００７】
本発明によれば、電子機器で放送の受信が開始されたとき又は受信した放送内容の出力が開始されたとき、所定の自動保存処理開始条件を満たすか否かを判断し、その自動保存処理開始条件を満たす場合のみ、その放送内容を連続保存する自動保存処理が開始される。よって、自動保存処理を無条件に開始する場合に比して電子機器における消費電力を抑えつつ、所定の自動保存処理開始条件に応じて、利用者の煩雑な操作を伴うことなく視聴中の放送内容を簡易に保存することができるという効果がある。
【発明を実施するための最良の形態】
【０００８】
以下、本発明の実施形態を、図面を参照しながら説明する。
図１（ａ）は、電子機器（移動体通信端末）としての携帯電話機２０の外観の一例を示す正面図であり、図１（ｂ）はその背面図である。この携帯電話機２０は、複数の筐体構成要素として第１筺体部（操作部側の筐体部）２０ａと第２筺体部（画面側の可動筐体部）２０ｂと第３筺体部（画面側の固定筐体部）２０ｃとを有するクラムシェル型の筺体構造をしており、上記３つの筐体構成要素２０ａ、２０ｂ、２０ｃの位置関係が互いに異なる３種類の外観形態を取り得るように構成されている。その第１の外観形態は、図２に示すように第１筺体部２０ａの操作面と第２筺体部２０ｂの画面とが近接対向している閉状態の外観形態である。第２の外観形態は、図１に示すように第１筺体部２０ａの操作面と第２筺体部２０ｂの画面とが離れて露出し、且つ画面の長手方向が縦方向になっている縦長画面の開状態の外観形態である。そして、第３の外観形態は、図３に示すように第１筺体部２０ａの操作面と第２筺体部２０ｂの画面とが離れて露出し、且つ画面の長手方向が横方向になっている、テレビなどの視聴に便利な横長画面の開状態の外観形態である。上記第２の外観形態と第３の外観形態との間の状態変化は、筺体内部の図示しないサイクロイド機構によって可能になっている。このサイクロイド機構により、上記縦長画面の開状態にある第２の外観形態から、第３筺体部（画面側の固定筐体部）２０ｃに対して第２筺体部（画面側の可動筐体部）２０ｂを９０度回転させながらスライドさせ、上記横長画面の開状態にある第３の外観形態に変化させることができる。
【０００９】
図４は、携帯電話機２０のハードウェア構成の一例を示す概略構成図である。携帯電話機２０は、各種制御を行う制御装置、入力装置２０４、出力装置２０５、携帯電話通信網用通信装置２０６、チューナー装置２０７及び各種センサー２０８を備えている。上記制御装置は、システムバス２００、ＣＰＵ２０１、ＲＡＭ２０２、ＲＯＭ２０３等を用いて構成されている。図４に示すＣＰＵ２０１やＲＡＭ２０２等の構成要素は、システムバス２００を介して、互いに各種データや所定のプログラムの命令等のやり取りを行っている。上記入力装置２０４は、前述の図１に示すデータ入力キー（テンキー、＊キー、＃キー）２１、通話開始キー２２、終話キー２３、スクロールキー２４、多機能キー２５、マイク２６などから構成されている。上記出力装置２０５は、前述の図１に示す液晶ディスプレイ（ＬＣＤ）からなる表示部２７、通話用スピーカ２８、外部出力用スピーカ２９、イヤホン３０等から構成されている。上記携帯電話通信網用通信装置２０６は、移動体通信ネットワークとしての携帯電話通信網を介して他の携帯電話機と電話をしたり、携帯電話通信網を介してメールやショートメッセージ等の通信を行ったりするためのものである。上記チューナー装置２０７は、放送局から送信される電波放送を選局して受信するためのものである。
【００１０】
また、上記各種センサー２０８として、上記外観形態の状態変化を検知するセンサー（例えば、タッチセンサー）が設けられている。この各種センサー２０８としては、携帯電話機２０の姿勢や振動を検知するために加速度センサーや地磁気センサー、携帯電話機２０の高度を気圧等で検知する高度センサー等を設けてもよい。加速度センサーとしては、例えば互いに直交する２軸又は３軸方向における加速度を検知可能な２軸又は３軸の加速度センサーを用いることができる。また、加速度センサーは、重力加速度に検知可能なものであってもよい。また、地磁気センサーとしては、例えば互いに直交する２軸又は３軸方向における加速度を検知可能な２軸又は３軸の加速度センサーを用いることができる。
【００１１】
図５は、上記携帯電話機２０の主要部を抽出して示したブロック図である。この携帯電話機２０は、電話の通話手段としての電話通信部２１１、情報送受信手段としてのデータ通信部２１２、操作手段としての操作部２１３、状態検知手段としての状態検知部２１４、主制御部２１５、放送内容出力手段としての出力部２１６、放送受信手段としてのチューナー部２１７、各種情報及びデータの記憶手段としての記憶部２１８等を備えている。上記状態検知部２１４は、前述の外観形態の状態変化を検知するセンサー（例えば、タッチセンサー）、加速度センサー、地磁気センサー等を用いて構成され、携帯電話機２０の外観形態の変化、姿勢、振動の有無、高度等を検知する。
【００１２】
なお、本実施形態では、チューナー部２１７がテレビのデジタル放送の一種であるワンセグ放送を受信する場合について説明するが、本発明は、チューナー部２１７がテレビの地上デジタル放送を受信する場合、テレビのアナログ放送を受信する場合、ＡMやＦＭのラジオ放送を受信する場合などにも適用できる。
【００１３】
また、上記記憶部２１８はＲＡＭ等の内蔵記憶媒体で構成され、携帯電話機としての所定の動作を行うためのプログラムや各種データが記憶されているとともに、チューナー部２１７が放送受信時に使用するチャネル情報（例えば、チャネルＩＤや周波数情報）を予め記憶するチャネル情報記憶手段や、チューナー部２１７で受信した放送内容を記憶する放送内容記憶手段として用いられる。この記憶部２１８には、上記放送内容（画像及び音声）を記憶する記憶領域として所定の設定容量からなる録画用記憶エリアが設けられている。この設定容量は、ユーザー操作によって変更できるようにしてもよい。また、記憶部２１８は、上記放送内容を記憶部２１８に連続保存する自動保存処理としての自動録画処理及び手動保存処理としての手動録画処理を行うときの各種設定情報や、当該自動保存処理を開始するための自動保存処理開始条件を含む設定情報を保存する設定情報記憶手段としても用いられる。これらの設定情報もユーザー操作によって変更できるようにしてもよい。
【００１４】
また、上記記憶部２１８は、複数の地域の位置情報と各地域で受信可能な放送局のチャネル情報とを対応付けて記憶した放送エリア情報のデータベースとして用いたりしてもよい。なお、上記記憶部２１８内のデータベースは、所定のタイミングでサーバにアクセスし最新のチャネル情報をダウンロードして更新するようにしてもよい。
【００１５】
また、上記記憶部２１８は、上記内蔵メモリのほか、当該携帯電話機２０に着脱可能な外部記憶媒体（例えば、メモリーカード）を備え、内蔵記憶媒体（内蔵メモリ）及び（外部記憶媒体（例えば、メモリーカード）のいずれにも放送内容を保存できるように構成してもよい。そして、放送内容の保存先は、利用者が操作部２１３を操作し、所定のテレビ機能のメニュー画面から変更できるようにしてもよい。放送内容の保存先は、テレビ放送受信プログラムを起動したときに利用者が選択できるようにしてもよい。また、携帯電話機２０に着脱可能な外部記憶媒体は上記メモリーカード以外の記憶媒体であってもよい。
【００１６】
上記電話通信部２１１は、他の携帯電話機や固定電話機と電話通信を行うために、携帯電話通信網の基地局と無線通信を行うものであり、上述のハードウェア構成上の携帯電話通信網用通信装置２０６等に対応する。この電話通信部２１１で電話の着信信号を受信すると、電話の着信が出力部２１６によりユーザーに特定の音、表示、振動等で報知される。この電話の着信が報知された場合は、ユーザーは操作部２１３の通話開始キー２２を押すことで通話を行うことができる。
【００１７】
上記データ通信部２１２は、上記電話通信部２１１と同様に、上述のハードウェア構成上の携帯電話通信網用通信装置２０６等に対応する。このデータ通信部２１２は、携帯電話通信網を介して他の携帯電話機とメールのやり取りを行ったり、携帯電話通信網からゲートウェイサーバを介してインターネット等の外部通信ネットワークに接続し、インターネット上での電子メールのやり取りやＷＥＢページの閲覧等を行ったりするためのものである。
【００１８】
また、上記データ通信部２１２は、携帯電話通信網等に設置されたサーバにアクセスし、そのサーバから各種情報を取得する手段としても用いることができる。例えば、複数の地域の位置情報と各地域で受信可能な放送局のチャネル情報とを対応付けて記憶したデータベースを有するサーバから、現在位置に応じたチャネル情報を取得する受信チャネル取得手段として用いることができる。
【００１９】
上記操作部２１３は、ユーザーが操作可能な上述のテンキー２１、通話開始キー２２、終話キー２３等で構成されている。この操作部２１３を操作することにより、ユーザーは、電話着信の際に通話の開始及び終了を行ったり、携帯電話機２０の各種設定や動作モードを選択したり、受信する放送局を選択したりすることができる。また、上記操作部２１３を操作することにより、チューナー部２１７で受信している放送内容を上記記憶部２１８に連続保存する手動録画処理の開始を指示することもできる。
【００２０】
上記主制御部２１５は、上記電話通信部２１１、データ通信部２１２、操作部２１３、出力部２１６、チューナー部２１７及び記憶部２１８を制御するものであり、上述のシステムバス２００、ＣＰＵ２０１、ＲＡＭ２０２、及び図示しない時計部等で構成されている。この主制御部２１５は、上記電話通信部２１１や上記データ通信部２１２等を制御するための通信制御用プログラムやユーザインターフェースを実行する。
【００２１】
また、主制御部２１５は、各種アプリケーションプログラムを実行可能なアプリケーションプログラム実行手段として機能する。例えば、主制御部２１５は、上記チューナー部２１７及び出力部２１６を制御するための所定のテレビ放送受信プログラムを実行することで、テレビの放送局から送信される放送を視聴することを可能にする。
【００２２】
また、上記主制御部２１５は、上記チューナー部２１７による放送の受信を開始したとき又は出力部２１６による放送内容の出力を開始したとき、所定の自動録画開始条件（自動保存処理開始条件）を満たすか否かを判断し、その所定の自動録画開始条件を満たす場合のみ、当該放送内容を記憶部２１８に連続保存する自動録画処理を開始するように制御する手段としても機能する。例えば、主制御部２１５は、チューナー部２１７による放送受信と出力部２１６による放送内容の出力とを伴うテレビ放送受信プログラムが起動されたとき所定の自動録画開始条件を満たすか否かを判断し、その所定の自動録画開始条件を満たす場合にのみ上記自動録画処理を開始するように制御する。
【００２３】
また、上記主制御部２１５は、上記自動録画処理に関連して次のような各種制御を行うように構成してもよい。
（１）チューナー部２１７による放送の受信を開始したとき又は出力部２１６による放送内容の出力を開始したときに前記所定の自動録画開始条件を満たさない場合、その後に該自動録画開始条件を満たすようになったとき、上記自動録画処理を開始する制御。
（２）録画対象（保存対象）の放送が送信されている所定の放送エリア（例えば、ワンセグテレビ放送エリア）に携帯電話機２０が在圏するという自動録画開始条件を満たす場合に、上記自動保存処理を開始する制御。
（３）携帯電話機２０の移動に伴って録画対象（保存対象）の放送を受信している放送エリアから他の放送エリアへのエリア遷移を検知したとき、当該録画対象の番組の放送内容を上記他の放送エリアでも継続して保存するようエリア遷移後の受信チャネルを切り換える制御。
（４）上記状態検知部２１４の検知結果に基づいて、携帯電話機２０の外観形態の変化を検知したとき（例えば、前述の図１に示す第２の外観形態から図３に示す第３の外観形態への変化を検知したとき、又は、第３の外観形態から第２の外観形態への変化を検知したとき）、上記自動録画処理を開始する制御。
（５）携帯電話機２０の上限反転を検知したとき、又は、所定の回転軸（例えば第１筺体部２０ａの操作面に垂直な軸）を中心とした所定角度範囲（例えば、９０°を中心とした８０°〜１００°の範囲、１８０°を中心とした１６５°〜１９５°の範囲）の回転を検知したとき、上記自動録画処理を開始する制御。
（６）利用者が携帯電話機２０を振る操作などによって携帯電話機２０に発生した所定強度又は所定振動パターンの振動（加速度）を検知したとき、上記自動録画処理を開始する制御。
（７）ＧＰＳの位置検知装置又は高度検知センサの検知結果に基づいて、携帯電話機２０が所定の高度の範囲（例えば、高度１０００ｍ以上）に位置することが検知されたとき、上記自動録画処理を開始する制御。
【００２４】
なお、上記自動録画処理は、所定の時間帯（例えば、平日の昼間の時間帯、又は、利用者が自宅に帰宅する時間から深夜までの時間帯）のみ開始するように制御してもよい。また、携帯電話機２０で受信するワンセグテレビ放送に含まれる文字情報がディスプレイの画面上に表示されている場合には、放送内容とともに当該文字情報も一緒に保存するように上記自動録画処理を制御してもよい。
【００２５】
また、上記主制御部２１５は、電話通信部２１１やデータ通信部２１２と連携することにより、携帯電話機２０の現在位置の情報としてのエリア位置情報を取得する状態検知手段である位置情報取得手段として機能する。このエリア情報は、携帯電話機２０が在圏する通信管理エリアに関するエリア位置情報であり、携帯電話通信網側にある位置登録サーバや情報提供サーバから受信して取得される。このエリア位置情報としては、基地局が管轄するセルを識別するためのセルＩＤ、基地局の住所、基地局の識別情報等が挙げられる。
【００２６】
また、上記位置情報取得手段は、ＧＰＳ位置情報や施設位置情報を取得するように構成してもよい。ＧＰＳ位置情報は、携帯電話機２０が位置する現在位置を示すＧＰＳ位置情報（緯度、経度、高度）であり、携帯電話機２０がＧＰＳ用の人工衛星（以下、「ＧＰＳ衛星」という。）から受信したＧＰＳ信号に基づいて算出される。この場合はＧＰＳ信号を受信するＧＰＳ受信部が設けられる。また、上記施設位置情報は、利用者の通過又は滞在が可能な駅の改札等の各種施設の位置を特定可能な施設位置情報である。この施設位置情報は、利用者が施設を通過したり施設に滞在したりしたときに、その施設に設置された利用検知用の通信端末装置と携帯電話機２０との間で通信を行うことによって取得することができる。例えば、通信端末装置が駅の改札ゲート装置の場合、利用者が改札ゲート装置に近づくこと又は利用者が携帯電話機２０を改札ゲート装置の通信アンテナ部にかざすこと等により、利用者の携帯電話機２０が、この改札ゲート装置の通信アンテナ部と通信可能な範囲内に位置すると、改札ゲート装置と携帯電話機２０との間の双方向の通信により鉄道利用のための認証が実行され、利用者は改札を通過することができる。この通信により、携帯電話機２０は、どの駅の改札から入ったかあるいはどの駅の改札から出たかを示す施設位置情報を取得することができる。上記施設の通信端末装置としては、改札装置のほか、店舗のレジ装置やＩＴＳ（高度交通情報システム）の通信端末装置もある。
【００２７】
なお、上記位置情報取得手段を複数種類備えている場合は、携帯電話機２０が位置する場所に応じて最適な位置情報取得手段を自動選択し、携帯電話機２０の現在位置をより正確且つ確実に取得できるようにしてもよい。例えば、通常はＧＰＳ位置情報を取得するように制御し、ＧＰＳ位置情報が受信できないビルの中の場合には、基地局との通信によるエリア位置情報を取得するように制御してもよい。また、上記施設位置情報を利用可能な場合は、その情報を優先的に使用するように制御してもよい。
【００２８】
また、上記主制御部２１５はチューナー部２１７と連携したり、電話通信部２１１やデータ通信部２１２と連携したりすることにより、携帯電話機２０で放送を受信可能な放送エリアを検知するエリア検知手段として機能する。例えば、主制御部２１５は、チューナー部２１７で受信チャネルの周波数を走査することにより放送エリアを検知する。ここで、所定の受信チャネルで所定強度のテレビ受信電波を受信できた場合に、携帯電話機２０が放送エリアに在圏していると判断することができる。また、所定強度のテレビ受信電波を受信できた受信チャネルが変化した場合に、放送エリアが遷移したと判断することができる。
【００２９】
なお、上記放送エリアは、上記携帯電話機２０の現在位置の位置情報を利用して特定することもできる。例えば、複数の地域の位置情報と各地域で受信可能な放送局のチャネル情報を含む放送エリア情報とを対応付けたデータテーブルを記憶部２１８に保存しておき、上記位置情報取得手段で取得した携帯電話機２０の現在位置の位置情報に基づいて、記憶部２１８の上記所定のテーブルを参照し、携帯電話機２０が在圏する放送エリアを特定することができる。また、携帯電話機２０から携帯電話通信網等に設置されたサーバにアクセスし、そのサーバから放送エリア情報を取得するようにしてもよい。例えば、複数の地域の位置情報と各地域で受信可能な放送局のチャネル情報を含む放送エリア情報とを対応付けたデータベースを有するサーバにアクセスし、そのサーバから、携帯電話機２０の現在位置に応じた放送エリア情報を取得する。上記サーバは、携帯電話機２０の現在位置の位置情報を携帯電話通信網の位置情報管理サーバから取得してもよいし携帯電話機２０から直接受信するようにしてもよい。
【００３０】
上記出力部２１６は、表示部としてのＬＣＤ２７、通話用スピーカ２８、外部出力用スピーカ２９及びイヤホン３０、並びに外部出力用スピーカ２９から出力される音量を調節するための音量調節手段である音量調節部等からなる出力装置２０５等で構成されている。この出力部２１６は、上記チューナー部２１７で受信した放送の画像や音声を出力する放送内容出力手段として用いられる。また、出力部２１６は、上記データ通信部２１２で受信したショートメッセージやメールの内容を上記主制御部２１５の制御の下、ＬＣＤ２７に表示する。また、出力部２１６のＬＣＤ２７は、上記電話通信部２１１で電話を着信した旨をユーザーに報知するときに用いられる。また、上記データ通信部２１２でショートメッセージを着信した旨や情報提供サーバからの情報を着信した旨をユーザーに報知するときにも用いられる。具体的には、これらの着信を受けると、主制御部２１５により、出力部２１６のＬＣＤ２７に着信報知画像を表示したり、外部出力用スピーカ２９から着信音を出力させたりする。
【００３１】
また、出力部２１６は、携帯電話機本体外部に露出したイヤホン端子を備えている。イヤホン３０は、このイヤホン端子に対して着脱自在に構成されている。そして、出力部２１６は、このイヤホン３０から出力される音量を調節するためのイヤホン音量調節部（イヤホン音量調節部）を有し、このイヤホン音量調節部は、放送用音量調節部及び一般音量調節部とは独立して主制御部２１５によって独立に制御される。
【００３２】
上記チューナー部２１７は、上述のハードウェア構成上のチューナー装置２０７や放送受信用アンテナ等に対応する。このチューナー部２１７は、放送局から送信される放送電波のうち、主制御部２１５から指示された周波数の電波を選択的に受波し、その電波放送を受信する一般的なテレビやラジオのチューナーとしての機能を有する。このチューナー部２１７で受信した放送の内容は、出力部２１６のスピーカやディスプレイへ直接伝送されて出力される。また、チューナー部２１７で受信した放送の内容は、出力部２１６のイヤホン３０からも出力することができる。
【００３３】
図６は、上記構成の携帯電話機における自動録画処理の一例を示すフローチャートである。この例において、利用者が携帯電話機２０のテレビ機能を起動するように操作する（Ｓ１）。例えば、携帯電話機２０のの画面に表示されたメニューからテレビ機能を選択したり、携帯電話機２０の外観の形態をテレビ機能を起動するように予め設定された所定の形態に変化させたりする。この操作により、携帯電話機２０の主制御部２１５は、所定のテレビ放送受信プログラムを起動する（Ｓ２）。次に、主制御部２１５は、チューナー部２１７による放送電波の受信状況又は携帯電話機２０の現在位置の位置情報に基づいて、携帯電話機２０がワンセグテレビ放送の放送エリア内に在圏するか否かを判断する（Ｓ３）。ここで、携帯電話機２０が放送エリア内に在圏していると判断した場合、主制御部２１５は、チューナー部２１７で受信された放送内容を保存する自動録画処理を開始する（Ｓ４）。この自動録画処理では、例えば、その開始時に記憶部２１８の所定の録画用記憶エリアに録画ファイルが新規に作成され、利用者の選択等で設定されている所定のチャネルのテレビ放送内容（画像及び音声）が当該録画ファイルに連続保存される。その後、利用者が携帯電話機２０のテレビ機能を停止するように操作する（Ｓ５）と、主制御部２１５は、上記自動録画処理を終了し（Ｓ６）、上記テレビ放送受信プログラムを終了することによりテレビ機能を停止している（Ｓ７）。上記自動録画処理の終了の際には、テレビ放送内容が保存された録画ファイルを閉じる処理が実行される。
一方、上記ステップＳ３で、携帯電話機２０がワンセグテレビ放送の放送エリア内に在圏していないと判断した場合には、上記自動録画処理を開始せずに、テレビ放送の受信及び出力を継続している。これにより、テレビ機能を起動したにもかかわらずテレビ放送が適切に受信されていない状態で録画処理が開始され無駄な電力が消費されたり記憶部２１８内に無駄な録画ファイルが作成されたりするのを回避できる。その後、利用者が携帯電話機２０のテレビ機能を停止するように操作する（Ｓ８）と、主制御部２１５は、上記テレビ放送受信プログラムを終了することによりテレビ機能を停止している（Ｓ７）。
【００３４】
なお、上記図６の自動録画処理では、自動録画処理を終了した後、テレビ放送受信プログラムを終了しているが、テレビ放送受信プログラムを終了する際に自動録画処理を終了するように制御してもよい。
【００３５】
図７は、携帯電話機２０における自動録画処理の他の例を示すフローチャートである。本例のＳ１からＳ２までの処理は上記図６の場合と共通するので説明を省略する。この例では、携帯電話機２０の主制御部２１５は、所定のテレビ放送受信プログラムを起動するとともに（Ｓ２）、チューナー部２１７によって所定の受信チャネルで受信されているワンセグテレビ放送の所定番組の放送内容を保存する自動録画処理を開始している（Ｓ３）。この自動録画処理を開始した後、主制御部２１５は、携帯電話機２０が在圏するワンセグテレビ放送の放送エリアをモニターし、所定のタイミングで、携帯電話機２０が在圏する放送エリアが遷移したか否かを判断する（Ｓ４）。ここで、携帯電話機２０の移動によって携帯電話機２０が在圏する放送エリアが遷移したと判断した場合（例えば、神奈川の放送エリアから静岡の放送エリアへ遷移したと判断した場合）は、主制御部２１５は、チューナー部２１７における受信チャネル（受信電波の周波数）を走査し、チューナー部２１７の受信チャネルを、遷移後の放送エリアで上記所定の番組を放送している受信チャネルに変更するように制御する（Ｓ５）。これにより、上記所定の番組の放送を利用者が視聴し且つ自動録画処理しているときに携帯電話機２０が在圏する放送エリアが遷移した場合でも、上記所定の番組の放送の視聴及び自動録画処理を継続して行うことができる。
【００３６】
図８は、携帯電話機２０における自動録画処理の更に他の例を示すフローチャートである。この例では、携帯電話機２０の主制御部２１５は、携帯電話機２０の外観形態の変化をモニターし、携帯電話機２０の外観形態が画面縦長の第２の外観形態（図１参照）から画面横長の第３の外観形態（図３参照）へ変化したか否かを判断している（Ｓ１）。ここで、利用者がテレビ機能を利用すべく携帯電話機２０を外観形態を画面縦長の第２の外観形態から画面横長の第３の外観形態へ変化させるように操作すると、主制御部２１５は、上記外観形態の変化があったと判断し、所定のテレビ放送受信プログラムを起動するとともに（Ｓ２）、チューナー部２１７によって所定の受信チャネルで受信されているワンセグテレビ放送の所定番組の放送内容を保存する自動録画処理を開始している（Ｓ３）。この場合は、上記外観形態を変化させる利用者による所定の操作により、テレビ放送の視聴を開始できるとともに、そのテレビ放送の自動録画処理が開始することができる。
【００３７】
図９は、携帯電話機２０における自動録画処理の更に他の例を示すフローチャートである。この例では、携帯電話機２０の主制御部２１５は、加速度センサや地磁気センサ等の出力に基づいて携帯電話機２０の姿勢の変化をモニターし、携帯電話機２０が上下反転したか否か（例えば、携帯電話機の正面を上方に向けた状態から背面を上方に向けた状態へ反転したか否か）を判断している（Ｓ１）。ここで、利用者がテレビ機能を利用すべく携帯電話機２０を上下反転させるように操作すると、主制御部２１５は、その上下反転があったと判断し、所定のテレビ放送受信プログラムを起動するとともに（Ｓ２）、チューナー部２１７によって所定の受信チャネルで受信されているワンセグテレビ放送の所定番組の放送内容を保存する自動録画処理を開始している（Ｓ３）。この場合は、携帯電話機２０を上下反転させるという簡単な操作により、テレビ放送の視聴を開始できるとともに、そのテレビ放送の自動録画処理が開始することができる。
【００３８】
図１０は、携帯電話機２０における自動録画処理の更に他の例を示すフローチャートである。この例では、携帯電話機２０の主制御部２１５は、加速度センサや地磁気センサ等の出力に基づいて携帯電話機２０の姿勢の変化をモニターし、携帯電話機２０が所定の回転軸を中心に所定角度範囲だけ回転したか否か（例えば、携帯電話機２０をテーブルに置いた状態でそのテーブル面に垂直な軸を中心に所定角度範囲だけ回転したか否か）を判断している（Ｓ１）。上記所定角度範囲は、例えば、８０°〜１００°、１６５°〜１９５°のように予め設定しておく。ここで、利用者がテレビ機能を利用すべく携帯電話機２０を上記所定の角度範囲だけ回転させるように操作すると、主制御部２１５は、その回転があったと判断し、所定のテレビ放送受信プログラムを起動するとともに（Ｓ２）、チューナー部２１７によって所定の受信チャネルで受信されているワンセグテレビ放送の所定番組の放送内容を保存する自動録画処理を開始している（Ｓ３）。この場合は、携帯電話機２０を所定角度範囲だけ回転させるという簡単な操作により、テレビ放送の視聴を開始できるとともに、そのテレビ放送の自動録画処理が開始することができる。
【００３９】
図１１は、携帯電話機２０における自動録画処理の更に他の例を示すフローチャートである。この例では、携帯電話機２０の主制御部２１５は、加速度センサ等の出力に基づいて携帯電話機２０に生じる振動（加速度）をモニターし、携帯電話機２０が所定の強度又は所定の振動パターンで振動したか否かを判断している（Ｓ１）。上記所定の強度及び振動パターンは、予め利用者が携帯電話機２０を手に持って実際に振ることにより設定することができる。ここで、利用者がテレビ機能を利用すべく携帯電話機２０を上記所定の強度及び振動パターンで振動させるように操作すると、主制御部２１５は、その振動があったと判断し、所定のテレビ放送受信プログラムを起動するとともに（Ｓ２）、チューナー部２１７によって所定の受信チャネルで受信されているワンセグテレビ放送の所定番組の放送内容を保存する自動録画処理を開始している（Ｓ３）。この場合は、携帯電話機２０を手に持って振るという簡単な操作により、テレビ放送の視聴を開始できるとともに、そのテレビ放送の自動録画処理が開始することができる。
【００４０】
図１２は、携帯電話機２０における自動録画処理の更に他の例を示すフローチャートである。本例のＳ１、Ｓ２及びＳ４〜Ｓ８までの処理は上記図６の場合と共通するので説明を省略する。この例では、携帯電話機２０の主制御部２１５は、所定のテレビ放送受信プログラムを起動した後、ＧＰＳ受信部から出力されるＧＰＳ位置情報等に基づいて、携帯電話機２０が所定の高度範囲（例えば、高度１０００ｍ以上の範囲）に位置するか否かを判断する（Ｓ３）。ここで、携帯電話機２０が上記所定の高度に位置していると判断した場合、主制御部２１５は、チューナー部２１７で受信された放送内容を保存する自動録画処理を開始する（Ｓ４）。この場合、携帯電話機２０がテレビ放送の電波を比較的良好に受信しやすい所定の高度範囲に位置する場合だけ、上記自動録画処理を開始することができる。従って、平地でのテレビ放送電波が弱く高度が高くなるに従ってテレビ放送電波が強くなってくるような地域において、テレビ機能を起動したにもかかわらず電波が弱くテレビ放送が適切に受信されていない状態で録画処理が開始され無駄な電力が消費されたり記憶部２１８内に無駄な録画ファイルが作成されたりするのを回避できる。
【００４１】
以上、本実施形態によれば、携帯電話機２０でテレビ放送の受信が開始されたとき又は受信したテレビ放送内容の出力が開始されたとき、前述の所定の自動保存処理開始条件を満たすか否かを判断し、その自動保存処理開始条件を満たす場合のみ、そのテレビ放送内容を連続保存する自動保存処理が開始される。よって、自動保存処理を無条件に開始する場合に比して携帯電話機における消費電力を抑えつつ、所定の自動保存処理開始条件に応じて、利用者の煩雑な操作を伴うことなく視聴中のテレビ放送内容を簡易に保存することができる。
【００４２】
なお、上記実施形態では、電子機器がワンセグのデジタルテレビ放送を受信可能な携帯電話機の場合について説明したが、本発明は、放送の受信及び出力が可能な他の電子機器の場合、例えば他の移動体通信端末等の情報通信端末や、家庭等に設置されるビデオレコーダ、テレビ装置等の電子機器の場合にも、同様に適用できる。また、本発明は、ワンセグ以外のデジタルテレビ放送（例えば、地上波デジタル放送）を受信する場合、アナログテレビ放送を受信する場合、ラジオ放送を受信する場合にも、同様に適用できる。
【００４３】
また。上記実施形態では、筐体が前述の３つの外観形態を取り得るようにサイクロイド機構を備えたクラムシェル型の筺体構造の携帯電話機の場合について説明したが、本発明は、複数の外観形態を取り得るような他の筐体構造を備える電子機器の場合にも同様に適用できる。例えば、本発明は、２つの筐体部が近接対向しながら相対的にスライド移動可能に構成されたスライド開閉型の筐体構造、互いに直交するヒンジ部を有し縦方向及び横方向のいずれにも開くことができるダブルオープン横開閉型の筐体構造、画面の向きを左右に動かせるように画面側筐体部を回転可能なスィーベル型の筐体構造等の、複数の外観形態を取り得る筐体構造を備える携帯電話機の場合にも、同様に適用できる。これらの筐体構造の携帯電話機においても、いずれかの外観形態から他の特定の外観形態に変化するときに、放送の受信及び出力を開始するとともに自動録画処理を開始するように制御する。
【図面の簡単な説明】
【００４４】
【図１】（ａ）は本発明の実施形態に係る携帯電話機の第２の外観形態（縦画面で開いた状態）おける外観を示す正面図。（ｂ）はその背面図。
【図２】同携帯電話機の第１の外観形態（閉じた状態）おける外観を示す正面図。
【図３】同携帯電話機の第３の外観形態（横画面で開いた状態）おける外観を示す正面図。
【図４】同携帯電話機のハードウェア構成を示す概略構成図。
【図５】同携帯電話機の主要部を抽出して示したブロック図。
【図６】携帯電話機における自動録画処理の一例を示すフローチャート。
【図７】携帯電話機における自動録画処理の他の例を示すフローチャート。
【図８】携帯電話機における自動録画処理の更に他の例を示すフローチャート。
【図９】携帯電話機における自動録画処理の更に他の例を示すフローチャート。
【図１０】携帯電話機における自動録画処理の更に他の例を示すフローチャート。
【図１１】携帯電話機における自動録画処理の更に他の例を示すフローチャート。
【図１２】携帯電話機における自動録画処理の更に他の例を示すフローチャート。
【符号の説明】
【００４５】
２０  携帯電話機
２０ａ  第１筺体部
２０ｂ  第２筺体部
２０ｃ  第３筺体部
２７  ＬＣＤ（表示部）
２９  外部出力用スピーカ
２１１  電話通信部
２１２  データ通信部
２１３  操作部
２１４  状態検知部
２１５  主制御部
２１６  出力部
２１７  チューナー部
２１８  記憶部
【図１】
2010098619.tif 000003
【図２】
2010098619.tif 000004
【図３】
2010098619.tif 000005
【図４】
2010098619.tif 000006
【図５】
2010098619.tif 000007
【図６】
2010098619.tif 000008
【図７】
2010098619.tif 000009
【図８】
2010098619.tif 000010
【図９】
2010098619.tif 000011
【図１０】
2010098619.tif 000012
【図１１】
2010098619.tif 000013
【図１２】
2010098619.tif 000014